(57)【要約】【課題】所定の場所からの遠隔操作により、被施錠物を一挙に自動解錠することができ、建造物の開閉窓に適用した場合、換気時に室内空気の入れ換えが円滑に行われるラッチ錠を提供する。【解決手段】ラッチ１１は、圧縮コイルスプリング１５により開閉窓に近接する方向に付勢されて開閉窓を施錠する。駆動モータ１０は、回転軸１６に嵌着したカム部１７をラッチ鍔１３に摺接させている。主スイッチの操作により駆動モータ１０に通電すると、回転軸１６を介してカム部１７がラッチ鍔１３に摺接しながら回動する。このため、ラッチ１１が施錠位置から圧縮コイルスプリング１５の付勢力に抗して開閉窓から離れた解錠位置に変位して施錠を解く。【選択図】　　　　図４
2004076559.tif 000002
【特許請求の範囲】
【請求項１】
被施錠物に対して離接方向に移動可能に設けられ、付勢部材により常に前記被施錠物に近接する方向に付勢されて前記被施錠物を係合により施錠位置にロックするラッチと、
前記ラッチの解錠時に前記付勢部材の付勢力に抗して前記ラッチの係合を外して前記施錠位置から解錠位置に変位させて前記被施錠物に対するロックを解除する解錠手段とを備えたことを特徴とするラッチ錠。
【請求項２】
被施錠物に対して離接方向に移動可能に設けられ、付勢部材により常に前記被施錠物に近接する方向に付勢されて前記被施錠物を係合により施錠位置にロックするラッチと、
このラッチに形成したラッチ鍔に摺接するカム部を回転軸に嵌着した駆動モータと、
この駆動モータへの通電により前記カム部が前記回転軸を介して前記ラッチ鍔に摺接しながら回動し、前記ラッチの係合を外して前記施錠位置から前記付勢部材の付勢力に抗して前記被施錠物から離れた解錠位置に変位させる解錠手段とを備えることを特徴とするラッチ錠。
【請求項３】
前記解錠手段は、
前記被施錠物に対する前記ラッチの移動方向に略垂直方向に指向して前記ラッチに設けたラッチ軸と、
このラッチ軸を係合させる切欠カム部を有し、所定方向の移動により前記ラッチ軸を前記切欠カム部から脱出させて前記ラッチを前記施錠位置から前記解錠位置に変位させるスライダー部と、
前記ラッチを前記施錠位置に保持すべく前記切欠カム部が常に前記ラッチ軸を係合する方向に前記スライダー部を付勢する位置付勢部材と、
前記スライダー部に連結され、所定方向の手動操作により前記位置付勢部材の付勢力に抗して前記スライダー部を移動して前記ラッチを前記施錠位置から前記解錠位置に変位させる索条部材とを有することを特徴とする請求項１または請求項２に記載のラッチ錠。
【請求項４】
前記被施錠物は建造物の開閉窓であり、前記建造物の換気や排煙時などに前記ラッチを前記施錠位置から前記解錠位置に変位させて前記開閉窓を開放することを特徴とする請求項１ないし請求項３のいずれかに記載のラッチ錠。
【請求項５】
前記建造物の換気や排煙時などに前記ラッチを前記施錠位置から前記解錠位置に変位させて前記開閉窓を開放した際、所定の場所で前記開閉窓の開表示用として作動する表示部を設けたことを特徴とする請求項４に記載のラッチ錠。
【請求項６】
前記ラッチが前記施錠位置に保持されている時、前記開閉窓は付勢部材の付勢力に抗して閉鎖されており、前記開閉窓の開放時に前記開閉窓は、前記付勢部材の付勢力により開放されることを特徴とする請求項４または請求項５に記載のラッチ錠。
【発明の詳細な説明】
【０００１】
【発明の属する技術分野】
本発明は、建造物の開閉窓などの被施錠物への解錠構造を改良したラッチ錠に関する。
【０００２】
【従来の技術】
家屋などの建造物の比較的上部に位置する開閉窓は、換気および採光などのために設けられたものであり、常には施錠装置により窓枠に対してロック機構を働かせて開閉窓を被施錠物として施錠している。換気時には空気の入れ換えのため、火災などの緊急時には排煙のため、施錠装置（排煙錠）のワイヤーを手で引いてロック機構を変位させ、窓枠に対するロックを外して開閉窓を開放する。この施錠装置の一例として窓開閉装置の閉窓ロック装置が登場している（例えば特許文献１参照）。
【０００３】
【特許文献１】
特開平１０−３１７７８９号公報
【０００４】
【発明が解決しようとする課題】
上記の閉窓ロック装置では、閉窓および開窓操作時に首振りフックを首振り動作によりフック受け軸に対して係脱する構成にしている。このため、フック受け軸に対する首振りフックの係脱動作が不安定で施解錠動作への信頼性に問題がある。また、開閉窓の開放時に手で引くワイヤーの性質上、ワイヤーの延出長さに限界があり、ワイヤーは開閉窓の近くに設けるのが一般的である。このため、火災などの緊急時に安全な場所から遠隔的にワイヤーを操作することができない不都合がある。さらに、ワイヤーの手動操作により一度に開放できるのは、４連窓が限界であるため、５連窓といったように開閉窓の設置数が多くなると、開閉窓を分けて別々に開放する必要がある。このため、ワイヤーの手動操作を繰り返し行わざるを得なくなり、火災などから逃れる際の緊急避難時間が長引く不都合がある。とりわけ、ワイヤーの手動操作が非力な幼児や障害者などによる場合、開閉窓の開放が行われなかったり、仮に行われても長時間がかかり緊急避難に間に合わない虞がある。
【０００５】
本発明は上記事情に鑑みてなされたもので、その第１の目的は施解錠操作に応じてラッチが被施錠物に対して正確に係脱するので、高い信頼度で確実な施解錠動作を行うことができるラッチ錠を提供することにある。
本発明の第２の目的は、被施錠物の解錠を手動操作でも電動操作でも行うことができ、電動操作の場合、所定の場所からの遠隔操作により被施錠物の設置数および解錠時の操作者の非力さとは関係なく被施錠物を一挙に自動解錠することができるラッチ錠を提供することにある。
【０００６】
【課題を解決するための手段】
（請求項１について）
被施錠物に対して離接方向に移動可能に設けられ、付勢部材により常に前記被施錠物に近接する方向に付勢されて前記被施錠物を係合により施錠位置にロックするラッチと、前記ラッチの解錠時に前記付勢部材の付勢力に抗して前記ラッチの係合を外して前記施錠位置から解錠位置に変位させて前記被施錠物に対するロックを解除する解錠手段とを備えたことを特徴とする。
【０００７】
（請求項２について）
被施錠物に対して離接方向に移動可能に設けられ、付勢部材により常に前記被施錠物に近接する方向に付勢されて前記被施錠物を係合により施錠位置にロックするラッチと、このラッチに形成したラッチ鍔に摺接するカム部を回転軸に嵌着した駆動モータと、この駆動モータへの通電により前記カム部が前記回転軸を介して前記ラッチ鍔に摺接しながら回動し、前記ラッチの係合を外して前記施錠位置から前記付勢部材の付勢力に抗して前記被施錠物から離れた解錠位置に変位させる解錠手段とを備えることを特徴とする。
【０００８】
（請求項３について）
前記解錠手段は、前記被施錠物に対する前記ラッチの移動方向に略垂直方向に指向して前記ラッチに設けたラッチ軸と、このラッチ軸を係合させる切欠カム部を有し、所定方向の移動により前記ラッチ軸を前記切欠カム部から脱出させて前記ラッチを前記施錠位置から前記解錠位置に変位させるスライダー部と、前記ラッチを前記施錠位置に保持すべく前記切欠カム部が常に前記ラッチ軸を係合する方向に前記スライダー部を付勢する位置付勢部材と、前記スライダー部に連結され、所定方向の手動操作により前記位置付勢部材の付勢力に抗して前記スライダー部を移動して前記ラッチを前記施錠位置から前記解錠位置に変位させる索条部材とを有することを特徴とする。
【０００９】
（請求項４について）
前記被施錠物は建造物の開閉窓であり、前記建造物の換気や排煙時などに前記ラッチを前記施錠位置から前記解錠位置に変位させて前記開閉窓を開放することを特徴とする。
（請求項５について）
前記建造物の換気や排煙時などに前記ラッチを前記施錠位置から前記解錠位置に変位させて前記開閉窓を開放した際、所定の場所で前記開閉窓の開表示用として作動する表示部を設けたことを特徴とする。
（請求項６について）
前記ラッチが前記施錠位置に保持されている時、前記開閉窓は付勢部材の付勢力に抗して閉鎖されており、前記開閉窓の開放時に前記開閉窓は、前記付勢部材の付勢力により開放されることを特徴とする。
【００１０】
【発明の作用および効果】
（請求項１について）
被施錠物の施錠時、ラッチを被施錠物に係合して施錠位置にロックし、解錠時に解錠手段によりラッチの係合を外して被施錠物に対するロックを解除する。被施錠物に対する施解錠操作は、ラッチを被施錠物に対して係脱させることにより行われるので、被施錠物に対するラッチの係脱状態が確実になり高い信頼度で施解錠動作を行うことができる。
【００１１】
（請求項２について）
ラッチは、付勢部材により常に被施錠物に近接する方向に付勢されて被施錠物を施錠位置にロックする。駆動モータは、回転軸に嵌着したカム部をラッチ鍔に摺接させている。駆動モータに通電すると、回転軸を介してカム部がラッチ鍔に摺接しながら回動する。このため、ラッチが施錠位置から付勢部材の付勢力に抗して被施錠物から離れた解錠位置に自動的に変位して被施錠物の施錠を解く。
【００１２】
これにより、被施錠物の設置数および解錠時の操作者の非力さとは関係なく被施錠物を一挙に自動解錠することができる。被施錠物を建造物の開閉窓に適用した場合、開閉窓が遅滞なく開放されるため、換気時に室内空気の入れ換えが円滑に行われ、火災などの緊急時に建造物から排煙が素早く行われて緊急非難に役立つ。それでいながら、開閉窓の解錠動作は、駆動モータの回転軸にカム部を嵌着してラッチ鍔に摺接させるといった比較的簡素な構造で済むため、省スペース化とともに低コスト化に寄与する。
【００１３】
（請求項３について）
解錠手段では、ラッチにラッチ軸を設けてスライダー部に切欠カム部を形成し、切欠カム部にラッチ軸を係合させている。位置付勢部材は、ラッチ軸がスライダー部の切欠カム部に常に係合する方向に付勢してラッチ軸を施錠位置に保持する。索条部材の手動操作により、スライダー部を位置付勢部材に抗して所定の方向に移動させると、ラッチ軸が切欠カム部から脱出してラッチを施錠位置から解錠位置に変位させる。索条部材の手動操作により、ラッチが解錠位置に変位して被施錠物の施錠を解くので、被施錠物の手動解錠が可能となり自動解錠と手動解錠とを選択的に行うことができる利点がある。
被施錠物を建造物の開閉窓に適用して手動解錠を選択した場合、開閉窓の近辺で開閉窓を視認しながら開放できる。このため、換気時に室内空気の入れ換えを確認でき、火災などの緊急時にいち早く建造物からの排煙を確かめることができる。これにより、停電や電気的な故障などで自動解錠による開閉窓の開放が間に合わない場合、手動解錠により開閉窓を開放することができる利点がある。
【００１４】
（請求項４について）
被施錠物は建造物の開閉窓であるため、建造物の換気や排煙時などに、請求項１ないし請求項３で被施錠物を建造物の開閉窓に適用した場合と同様な作用効果が得られる。
（請求項５について）
被施錠物が建造物の開閉窓の場合で、建造物の換気や排煙時などにラッチを施錠位置から解錠位置に変位させて開閉窓を開放すると、開閉窓の開表示用の表示部が作動する。開閉窓の開放を表示部で確認できるため、自動解錠と手動解錠とを選択的に行うことができる場合、自動解錠により開閉窓が開放されたのに手動解錠のため開閉窓に近づいたり、手動解錠により開閉窓の開放が行われたのに自動解錠のため駆動モータに通電するといった無駄な重複操作を避けることができる。
【００１５】
（請求項６について）
被施錠物が建造物の開閉窓の場合、開閉窓は付勢部材の付勢力に抗して閉鎖されている。ラッチの解錠に伴い、開閉窓は付勢部材の付勢力に支援されつつ開放される。このため、建造物の換気や排煙時などに開閉窓が円滑かつ速やかに開放されて室内空気の入れ換えや排煙動作が迅速に行われる利点が得られる。
【００１６】
【発明の実施の形態】
本発明の各実施例を図を参照しながら説明する。
図１ないし図８は本発明の第１実施例を示す。枠体１は、図１の（イ）、（ロ）に示すように建造物の外壁面に設けた開口部（図示せず）に嵌め込まれている。枠体１内には、被施錠物として開閉窓２が外側倒し窓として下部ヒンジ３により外側に向かって上下方向に開閉回動可能に取り付けられている。開閉窓２は、建造物内の室内側で比較的上部に位置しており、主に採光、換気および火災などの緊急時の排煙に用いられる。開閉窓２の窓枠２ａと枠体１の縦桟部との間に、開閉窓２の開方向の付勢部材としてステイダンパー４が掛け渡されている。窓枠２ａの上框部には、ラッチ錠７の略Ｌ字状の施錠プレート５が取り付けられ、その先端部は室内側に延びて施錠穴６を形成している。
【００１７】
ラッチ錠７は、枠体１の上部で室内側に取り付けられ、図２に示す矩形箱８内に駆動モータ１０、断面略コ字状のラッチガイド９およびラッチ１１を備えている。ラッチ１１は、ラッチガイド９に沿って上下方向に移動可能に設けられ、図４に示すように上部左右側にラッチ鍔１２、１３を有し、下部に円弧状の舌片部１４を形成している。ラッチガイド９の天井部９ａとラッチ１１の水平片部１１ａとの間に圧縮コイルスプリング１５が付勢部材として設けられ、ラッチ１１を下方に付勢して施錠位置に変位させる。この時、ラッチ１１の舌片部１４が施錠プレート５の施錠穴６にラッチ１１を係合によりロックし、図１の（イ）のように開閉窓２を閉鎖状態に施錠する。この時、ラッチ１１のラッチ鍔１２は、後述する常開形のマイクロスイッチＭ１の可動接片Ａ１を押圧している（図２および図７）。
【００１８】
駆動モータ１０は、例えばＤＣ２４Ｖ（０．３Ａ／窓）で電源Ｐｗ（図７）により通電駆動されるようになっている。駆動モータ１０の回転軸１６は、図５の（イ）に示すようにラッチ１１のラッチ鍔１３に摺接する略半円板状のカム部１７を嵌着して解錠手段を構成している。カム部１７は、円弧部１７ａと直線部１７ｂとからなる。カム部１７の回動に伴い、直線部１７ｂがラッチ鍔１３と略面一となる施錠位置から円弧部１７ａがラッチ鍔１３に摺動して、ラッチ１１を図５の（ロ）に示すように押し上げる。このため、ラッチ１１の舌片部１４が施錠プレート５の施錠穴６に対する係合が外れて開閉窓２に対する施錠を解く解錠位置に変位する。
【００１９】
ラッチ１１には、ラッチ軸１８がラッチ１１の移動方向に略垂直方向に指向するように取り付けられている。ラッチ軸１８に直交するように偏平な略横コ字状の支持部材２０が設けられている。支持部材２０の縦片部２０Ａ、２０Ｂの間には、支軸２０ａが掛け渡されている。支軸２０ａには、ラッチ軸１８とともに解錠手段をなす横長片状のスライダー部１９がこれの耳部１９ａ、１９ｂを介して左右に移動可能に連結されている。スライダー部１９の中央部には、図３の（イ）に示すようにラッチ軸１８を係合させた谷状の切欠カム部２１が形成されている。スライダー部１９の左右方向の移動により、切欠カム部２１が図３の（ロ）で示すようにラッチ軸１８を押し出す。このため、ラッチ１１が上方に移動して施錠位置から解錠位置に変位する。
【００２０】
支持部材２０の縦片部２０Ａと耳部１９ａとの間、および縦片部２０Ｂと耳部１９ｂとの間には、圧縮コイルスプリング２２、２３が位置付勢部材として設けられている。このため、スライダー部１９は圧縮コイルスプリング２２、２３の間に挟まれた位置にあり、切欠カム部２１がラッチ軸１８を係合する施錠位置に保持される。スライダー部１９は、連結片部２４を介して手動操作用のワイヤー２５を索条部材として連結している。このワイヤー２５の左右端部は、図６に示すように室内壁部に設けた滑車２６、２７を介して室内側に垂下する引手部Ｓ１、Ｓ２に連結されている。
【００２１】
矩形箱８の前面部には、透孔２８が図２に示すように形成されており、この透孔２８内に段付き状のピン柱２９を軸方向に摺動可能に設けている。ピン柱２９の矩形箱８内に存する部分に突条環２９ｂを形成し、この突条環２９ｂを透孔２８の外側周縁部に当接させてピン柱２９が抜け出ないようにしている。ピン柱２９の先端部に形成された当接頭部２９ａと透孔２８の内側周縁部との間に、圧縮コイルスプリング３０をピン柱２９の復帰用付勢部材として設けている。
開閉窓２が閉鎖された状態では、ピン柱２９が当接頭部２９ａを介して窓枠２ａに押され、圧縮コイルスプリング３０の付勢力に抗して矩形箱８内に後退している。ピン柱２９の後退に伴い、圧縮コイルスプリング３０が圧縮による蓄勢力でピン柱２９を前進方向に付勢している。この後退位置では、ピン柱２９の後端部に形成したテーパ部２９ｃが後述する常開形のマイクロスイッチＭ２、Ｍ３の可動接片Ａ２、Ａ３を押圧している（図７）。
【００２２】
駆動モータ１０が組み込まれた電気結線図を示す図７において、制御部３１Ａを成す主スイッチ３１は、換気時の所定の場所として室内側で開閉窓２の付近に設けられ、換気時に開閉窓２の付近で主スイッチ３１の操作ができるようになっている。火災などの緊急時、煙感知器（図示せず）により緊急事態を例えば防災施設あるいは警備施設などの集中管理室に通報して主スイッチ３１を集中管理室から遠隔的に自動操作する。
【００２３】
開閉窓２の付近、あるいは集中管理室からの指令で主スイッチ３１の投入操作が行われると、図７の（イ）に示すように駆動モータ１０が駆動回路ＤｖのマイクロスイッチＭ２のバイパス路３２を介して通電される。このため、駆動モータ１０の回転軸１６の回転により、カム部１７が図８の（イ）で示す下限位置から反時計方向に略２７０°回動して（ロ）に示す上限位置に上昇する。これに伴い、ラッチ１１が施錠位置から解錠位置に上昇変位し、舌片部１４が施錠プレート５の施錠穴６から抜け出る。ラッチ１１の上昇変位により、ラッチ鍔１３がマイクロスイッチＭ１の可動接片Ａ１から離れ、図７の（ロ）に示すように可動接片Ａ１が固定接点ａ１から固定接点ｂ１に切り替わって駆動モータ１０に対する通電路３３を形成する。
【００２４】
この際、窓枠２ａに対するピン柱２９の当接状態が解放されるため、圧縮コイルスプリング３０の蓄勢力によりピン柱２９が透孔２８から外方に押し出される。ピン柱２９が外方に押し出されるのに伴い、テーパ部２９ｃがマイクロスイッチＭ２、Ｍ３の可動接片Ａ２、Ａ３から離れる。このため、図７の（ハ）に示すように可動接片Ａ２、Ａ３が固定接点ａ２、ａ３から固定接点ｂ２、ｂ３に切り替わる。マイクロスイッチＭ２の切替えによりバイパス路３２が無通電となり、マイクロスイッチＭ３の切替えにより開閉窓２の開表示用のランプ３４が通電により表示部として点灯する。このランプ３４は、室内側で開閉窓２の近辺、あるいは防災施設や警備施設の集中管理室に設けられ、ランプ３４の点灯により開閉窓２の開放を報知する。
【００２５】
カム部１７が図８の（ロ）の上限位置から反時計方向に略９０°に回動すると、カム部１７は（イ）に示す元の下限位置に戻る。このため、ラッチ１１は圧縮コイルスプリング１５の付勢力により下方に変位し、ラッチ鍔１２がマイクロスイッチＭ１の可動接片Ａ１を押圧する。可動接片Ａ１が図７の（ニ）に示すように固定接点ｂ１から固定接点ａ１に切替わり駆動モータ１０を無通電により停止させる。
【００２６】
換気や排煙後に開閉窓２を元の閉鎖位置に戻すには、主スイッチ３１をオフ状態に戻した後、先端にフック部を有する長尺な操作棒（図示せず）を用いて開閉窓２に引っ掛けて室内側に引く。これにより、開閉窓２が枠体１内の閉鎖位置に戻り、ラッチ１１の舌片部１４が施錠プレート５の施錠穴６内に係合して開閉窓２の施錠が行われる。
開閉窓２の閉鎖操作に伴い、窓枠２ａが圧縮コイルスプリング３０の付勢力に抗してピン柱２９の当接頭部２９ａを矩形箱８内に押し込み、テーパ部２９ｃがマイクロスイッチＭ２、Ｍ３の可動接片Ａ２、Ａ３を押圧する。このため、可動接片Ａ２、Ａ３が図７の（イ）に示すように固定接点ｂ２、ｂ３から固定接点ａ２、ａ３に切り替わり、バイパス路３２が通電状態になるとともに開表示用のランプ３４が無通電により消灯する。
【００２７】
上記構成では、駆動モータ１０に通電してラッチ１１を施錠プレート５の施錠穴６を抜き出して開閉窓２の施錠を自動解錠により解いた。自動解錠を用いなくても、ワイヤー２５を手で操作する手動解錠により開閉窓２の施錠を解くことができる。すなわち、開閉窓２が枠体１内で閉鎖位置に存する時、図６に示す引手部Ｓ１、Ｓ２のいずれかによりワイヤー２５を引く。これにより、連結片部２４を介してスライダー部１９が圧縮コイルスプリング２２、２３の一方の付勢力に抗して左右のいずれかの方向に移動する。このため、ラッチ軸１８が切欠カム部２１に押されて図３の（イ）から（ロ）で示す位置に上昇する。ラッチ軸１８の上昇により、ラッチ１１が施錠位置から解錠位置に上昇変位し、ラッチ１１の舌片部１４が施錠プレート５の施錠穴６から抜け出て開閉窓２の施錠が外れる。このため、自動解錠の場合と同様にステイダンパー４の付勢力により開閉窓２が図１の（ロ）に示すように室外側に開放される。
【００２８】
ラッチ１１による開閉窓２の施錠が外れる際、自動解錠の場合と同様にピン柱２９のテーパ部２９ｃがマイクロスイッチＭ２、Ｍ３の可動接片Ａ２、Ａ３から離れる。図７の（ハ）に示すように可動接片Ａ２、Ａ３が固定接点ａ２、ａ３から固定接点ｂ２、ｂ３に切り替わる。マイクロスイッチＭ２の切替えによりバイパス路３２が無通電となり、マイクロスイッチＭ３の切替えにより開閉窓２の開表示用のランプ３４が点灯する。換気や排煙後に開閉窓２を元の閉鎖位置に戻すには、自動解錠の場合と同様に長尺な操作棒を用いて開閉窓２に引っ掛けて室内側に引けばよい。
【００２９】
このように、開閉窓２の解錠時は、手動および電動両用により行うことができ、電動の場合は駆動モータ１０への通電により、カム部１７がラッチ鍔１３に摺接しながら回動し、ラッチ１１を施錠位置から圧縮コイルスプリング１５の付勢力に抗して解錠位置に自動的に上昇させて開閉窓２の施錠を解く。これにより、開閉窓２の設置数（連窓数）および操作者の非力さとは関係なく開閉窓２を一挙に自動解錠することができる。開閉窓２が遅滞なく自動的に開放されるため、換気時に室内空気の入れ換えが円滑に行われ、火災などの緊急時に建造物から排煙が素早く行われて緊急非難に役立つ。それでいながら、開閉窓２の解錠動作は、駆動モータ１０の回転軸１６にカム部１７を嵌着してラッチ鍔１３に摺接させるといった比較的簡素な構造で済むため、省スペース化とともに低コスト化に寄与する。
【００３０】
手動で解錠する場合はワイヤー２５の手動操作により、スライダー部１９を圧縮コイルスプリング２２、２３の付勢力に抗して引き、切欠カム部２１によりラッチ軸１８を押し出してラッチ１１を施錠位置から解錠位置に変位させる。ワイヤー２５の手引き操作でラッチ１１が解錠位置に変位して開閉窓２に対する施錠を解くので、開閉窓２の手動解錠が可能となり自動解錠と手動解錠とを選択できる利点がある。
開閉窓２の開放操作に手動解錠を選択した場合、開閉窓２を視認しながら開放することができるため、換気時に室内空気の入れ換えを確認でき、火災などの緊急時にいち早く建造物からの排煙を確かめることができる。このため、自動解錠による開閉窓２の開放が間に合わない場合、手動解錠により開閉窓２を開放できる利点がある。
【００３１】
開閉窓２の開放時、ラッチ１１を施錠位置から解錠位置に変位させると、開閉窓２の開表示用のランプ３４が点灯する。開閉窓２の開放をランプ３４で視認できる。このため、自動解錠と手動解錠とを選択的に行うことができる場合、自動解錠により開閉窓２が開放されたのに手動解錠のため開閉窓２に近づいたり、手動解錠により開閉窓２の開放が行われたのに自動解錠のため主スイッチ３１により駆動モータ１０に通電するといった無駄な重複操作を避けることができる。
【００３２】
図９および図１０は本発明の第２実施例を示す。第２実施例では、第１実施例と同一部材には同一符号を付して異なる部分のみ説明する。
この第２実施例では、図９に示すように単一の開閉窓２に代わって４連数の開閉窓２を設けている（４連窓）。各開閉窓２には、ラッチ錠７が取り付けられ、各スライダー部１９はワイヤー２５により連結され、ワイヤー２５の左右端部は、滑車２６、２７を介して垂下する引手部Ｓ１、Ｓ２を有する。各開閉窓２に設置されたラッチ錠７に対応して駆動回路Ｄｖが設けられている。各駆動回路Ｄｖの通電路３３は、図１０に示すように制御部３１Ａに対して並列接続されている。
【００３３】
このため、自動解錠の場合、主スイッチ３１の投入操作により駆動モータ１０を駆動すると、各駆動回路Ｄｖが図７の（イ）から（ニ）と同様に作動して各開閉窓２が同時に一斉開放する（一斉開放モード）。
手動施錠の場合、引手部Ｓ１、Ｓ２のいずれかを引くと、ワイヤー２５および連結片部２４を介してスライダー部１９が左右のいずれかの方向に移動する。このため、図３の（ロ）と同様にラッチ軸１８が切欠カム部２１に押されて上昇する。このため、ラッチ１１が施錠位置から解錠位置に上昇変位し、施錠穴６に対する舌片部１４の係合が外れて開閉窓２の施錠を解く。
【００３４】
図１１は本発明の第３実施例を示す。第３実施例では、第２実施例と同一部材には同一符号を付して異なる部分のみ説明する。第３実施例が、第２実施例と異なるところは各駆動回路Ｄｖを順次接続したことである。
隣接する駆動回路Ｄｖにおいて、マイクロスイッチＭ２の固定接点ｂ２は、接続路３６を介してマイクロスイッチＭ１の可動接片Ａ１に接続されている。自動解錠の場合、主スイッチ３１の投入操作により駆動モータ１０を駆動すると、最左端の駆動回路Ｄｖが図７の（イ）から（ニ）と同様に作動し、第２実施例と同様に図９の最左端の開閉窓２を開放する。最左端の駆動回路Ｄｖが図７の（ハ）と同様な段階で最左端の開閉窓２を開放した時、接続路３６により二番目の駆動回路Ｄｖの通電路３３が通電状態となる。
【００３５】
これにより、二番目の駆動回路Ｄｖが図７の（イ）から（ニ）と同様に作動し、第２実施例と同様に図９の二番目の開閉窓２を開放する。二番目の駆動回路Ｄｖが図７の（ハ）と同様な段階で二番目の開閉窓２を開放した時、接続路３６により三番目の駆動回路Ｄｖのバイパス路３２が通電状態となる。このため、三番目の駆動回路Ｄｖが図７の（イ）から（ニ）と同様に作動し、第２実施例と同様に図９の三番目の開閉窓２を開放する。
【００３６】
このように、接続路３６によりバイパス路３２が順に通電状態となって駆動回路Ｄｖの駆動モータ１０を左端から右端に順に駆動するため、最左端の開閉窓２が開放した後、右側に隣接する二番目、三番目、四番目の開閉窓２が時間差（約１秒間）をもって次々に開放される（順次開放モード）。この順次開放モードでは、所定の時間差をもって各開閉窓２が一台づつ順に作動されるので、０．３Ａ×開閉窓２の１台分の少ない電流容量で済む。このため、０．３Ａ×開閉窓２の台数分の電流容量を必要とする一斉開放モードと異なり、電気配線部に大容量の電流が一度に流れることを回避できる。
【００３７】
図１２は本発明の第４実施例を示す。第４実施例では、第１実施例と同一部材には同一符号を付して異なる部分のみ説明する。第４実施例が、第１実施例と異なるところは開閉窓２を室内側に開放させる内倒し窓に適用したことである。
第４実施例における施錠プレート５は、施錠穴６が設けられていない無孔板である。開閉窓２の閉鎖時、施錠プレート５の先端部が舌片部１４に当接して開閉窓２を閉鎖位置に保持している。開閉窓２の開放時にラッチ１１の舌片部１４が上昇変位するため、舌片部１４に対する施錠プレート５の先端部５ａの当接が解除される。このため、開閉窓２が図１２の（イ）から（ロ）に示すように室内側に傾斜状態に倒れる。
【００３８】
図１３は本発明の第５実施例を示す。第５実施例では、第１実施例と同一部材には同一符号を付して異なる部分のみ説明する。第５実施例では、支軸２０ａを耳部１９ａ、１９ｂとともに一体化したスライダー部１９を設けている。スライダー部１９の支軸２０ａは、支持部材２０の左右の縦片部２０Ａ、２０Ｂに対し左右に移動できるように設けられている。このため、手動解錠時にワイヤー２５の引下げ操作によりスライダー部１９が支軸２０ａとともに一体に移動する。この移動により、第１実施例の図３と同様に切欠カム部２１がラッチ軸１８を押し出して解錠位置に上昇変位させる。
【００３９】
図１４ないし図１７は本発明の第６実施例を示す。第６実施例では、第１実施例と同一部材には同一符号を付して異なる部分のみ説明する。第６実施例のピン柱４０は、ラッチ１１の図示左方に位置して上下方向に移動可能に設けられている。ピン柱４０は上端部に押圧片部４０ａ、４０ｂを形成し、下端部に円弧状の摺動部４０ｃを設けている。開窓時にピン柱４０は、圧縮コイルスプリング４１の付勢力により下方の施錠位置に移動して押圧片部４０ａ、４０ｂによりマイクロスイッチＭ２、Ｍ３の可動接片Ａ２、Ａ３を閉成する（図１４および図１５参照）。閉窓時にピン柱４０の摺動部４０ｃがラッチ１１とともに逆Ｌ字形の施錠プレート４２の水平片部４２ａに押し上げられ、押圧片部４０ａ、４０ｂがマイクロスイッチＭ２、Ｍ３の可動接片Ａ２、Ａ３を開成する（図１６および図１７参照）。第６実施例では、ピン柱４０がラッチ１１とともに共通の水平片部４２ａに押し上げられるので、マイクロスイッチＭ１、Ｍ２、Ｍ３の可動接片Ａ１、Ａ２、Ａ３を作動させるタイミングを調整し易い便宜が得られる。
【００４０】
図１８および図２０は本発明の第７実施例を示す。第７実施例では、第１実施例と同一部材には同一符号を付して異なる部分のみ説明する。第７実施例では、第１実施例のスライダー部１９の切欠カム部２１に代わって解錠手段としてのラック部４３を設け、ラッチ軸１８の前端部に円形カム４５を偏芯状態に連結して後端部にピニオン４６を連結している（図１８おび図１９参照）。ピニオン４６はラック部４３に噛合し、円形カム４５は、ラッチガイド９の後端面に形成された連通口９ｂに近接して解錠手段を構成している。ラッチ１１の後端部には、連通口９ｂから突き出る押上片１１Ａが形成されて円形カム４５の外周部に摺接している。開窓時にワイヤー２５によりスライダー部１９を矢印Ｑ方向に移動させると、図２０の（ロ）に示すようにラッチ軸１８のピニオン４６を介して円形カム４５が矢印Ｒ方向に回転し、図２０の（イ）に示すように押上片１１Ａを押し上げてラッチ１１を施錠位置から解錠位置に移動させる。
【００４１】
上記第１〜７実施例では、自動解錠時用に駆動モータ１０を設けたが、本発明の第８実施例として駆動モータ１０を矩形箱８内から取り外し、ワイヤー２５による手動操作のみによりラッチ１１の解錠を行う構造にすることができる。
【００４２】
（変形例）
なお、上記実施例では被施錠物として開閉窓２を適用したが、開閉窓２ばかりでなく下記の場合に適用することができる。
（ａ）はね上げ式のスイングドア（手動あるいは電動で解錠）、
（ｂ）遮蔽用のスクリーンをロール状に巻き上げて保持するための防煙スクリーンおよび防火スクリーン（手動あるいは電動で解錠）、
（ｃ）防煙垂壁に用いて閉鎖位置に保持する（手動あるいは電動で解錠）、
（ｄ）防火戸に用いて開放状態に保持する（手動あるいは電動で閉鎖）、
（ｅ）自閉式スライディングドアに使用して開放状態に保持する（手動あるいは電動で閉鎖）、
（ｆ）開放付勢手段と併設して排煙装置とすることができるスライディングドアのクレセント（手動あるいは電動で解錠）、
（ｇ）防火ダンパーに用いて開口部を開放状態に保持する（手動あるいは電動で閉鎖）。
【００４３】
また、上記実施例ではワイヤー２５を索条部材として用いたが、ワイヤー２５に限らず帯、紐、ケーブル、補強繊維などスライダー部１９を移動させることができるものであればよい。
ラッチ鍔１３を変位させるカム部１７は、略半円板状に限らず楕円状、三角状など所望のカムプロフィールに形成することができる。
開閉窓２の開放は、ワイヤー２５の引手部Ｓ１、Ｓ２を引くことにより行ったが、インナーワイヤーとアウターワイヤーとを用いてインナーワイヤーをアウターワイヤーに沿って押圧すことにより行ってもよい。
【００４４】
開閉窓２の開表示部用の表示部としてランプ３４を用いたが、ランプ３４に限らず発光ダイオード（ＬＥＤ）でもよく、ブザーを鳴動させたりメロディを奏でる音響部材を作動させてもよい。
４連窓の順次開放モードでは、約１秒の時間差をもって各開閉窓２を順次開放したが、この時間差は約１秒に限らず遅延回路などを用いて所望に設定することができる。
本発明の具体的な実施にあたっては、ランプ３４の設置場所は、開閉窓２の近辺、防災施設や警備施設の集中管理室に限らず、モニター付の監視室などでもよく、開閉窓２は４連窓に限らないなど本発明の要旨を逸脱しない範囲で種々変更することができる。
【図面の簡単な説明】
【図１】（イ）は閉鎖時の開閉窓の縦断面図、（ロ）は開放時の開閉窓の縦断面図である（第１実施例）。
【図２】ラッチ錠を示す上面図である。
【図３】（イ）は開閉窓の閉鎖時における図２のＡ−Ａ線に沿う縦断面図、（ロ）は開閉窓の開放時における図２のＡ−Ａ線に沿う縦断面図である。
【図４】図２のＢ−Ｂ線に沿う縦断面図である。
【図５】（イ）は開閉窓の閉鎖時における図４のＣ−Ｃ線に沿う横断面図、（ロ）は開閉窓の開放時における図４のＣ−Ｃ線に沿う横断面図である。
【図６】開閉窓を単一の窓として示す正面図である。
【図７】（イ）〜（ニ）は開閉窓の開放を段階的に示す電気結線図である。
【図８】（イ）はカム部の下限位置を示す側面図、（ロ）はカム部の上限位置を示す側面図である。
【図９】開閉窓を４連窓として示す正面図である（第２実施例）。
【図１０】開閉窓の一斉開放モードを行う電気結線図である。
【図１１】開閉窓の順次開放モードを行う電気結線図である（第３実施例）。
【図１２】（イ）は閉鎖時の開閉窓の側面図、（ロ）は開放時の開閉窓の側面図である（第４実施例）。
【図１３】ラッチ錠を示す上面図である（第５実施例）。
【図１４】ラッチ錠を示す上面図である（第６実施例）。
【図１５】図１４のＥ−Ｅ線に沿う縦断面図である。
【図１６】開閉窓を閉鎖状態にした時のラッチ錠を示す縦断面図である。
【図１７】開閉窓の閉鎖時における図１６のＦ−Ｆ線に沿う横断面図である。
【図１８】ラッチ錠を示す上面図である（第７実施例）。
【図１９】スライダー部、ラック部、円形カム、ラッチガイドおよびラッチの拡大分解斜視図である。
【図２０】（イ）は解錠時のラッチ錠を示す横断面図、（ロ）は施錠時のラッチ錠を示す横断面図である。
【符号の説明】
２　開閉窓（被施錠物）
４　ステイダンパー（付勢部材）
７　ラッチ錠
９　ラッチガイド
９ａ　天井部
１０　駆動モータ（解錠手段）
１１　ラッチ
１１ａ　水平片部
１３　ラッチ鍔（解錠手段）
１５　圧縮コイルスプリング（付勢部材）
１６　回転軸（解錠手段）
１７　カム部（解錠手段）
１８　ラッチ軸（解錠手段）
１９　スライダー部（解錠手段）
２１　切欠カム部
２２、２３　圧縮コイルスプリング（位置付勢部材）
２５　ワイヤー（索条部材）
２９、４０　ピン柱
３１　主スイッチ
３１Ａ　制御部
３４　ランプ（表示部）
４３　ラック部（解錠手段）
４５　円形カム（解錠手段）
４６　ピニオン（解錠手段）
Ｐｗ　電源
【図１】
2004076559.tif 000003
【図２】
2004076559.tif 000004
【図３】
2004076559.tif 000005
【図４】
2004076559.tif 000006
【図５】
2004076559.tif 000007
【図６】
2004076559.tif 000008
【図７】
2004076559.tif 000009
【図８】
2004076559.tif 000010
【図９】
2004076559.tif 000011
【図１０】
2004076559.tif 000012
【図１１】
2004076559.tif 000013
【図１２】
2004076559.tif 000014
【図１３】
2004076559.tif 000015
【図１４】
2004076559.tif 000016
【図１５】
2004076559.tif 000017
【図１６】
2004076559.tif 000018
【図１７】
2004076559.tif 000019
【図１８】
2004076559.tif 000020
【図１９】
2004076559.tif 000021
【図２０】
2004076559.tif 000022